(57)【特許請求の範囲】
【請求項１】
第１の保持体と第２の保持体との間で光源用素子を保持する光源装置であって、
前記第２の保持体は、前記第１の保持体に対向する面に、該面よりも前記第１の保持体側に光源用素子の一部が突出するように、前記光源用素子が配置される凹部を有し、
前記第１の保持体は、前記第２の保持体に対向する面に形成された、前記光源用素子からの光を射出させる孔部を有し、
前記孔部の周囲が前記光源用素子の突出部分に当接することにより前記光源用素子を前記第２の保持体に当接させるとともに、前記第１の保持体と前記第２の保持体との間に基台の突出によりギャップが形成し、そのギャップ部に塗布された接着剤により、前記第１の保持体と前記第２の保持体とが固着されていることを特徴とする光源装置。
【請求項２】
前記接着剤は、前記光源用素子から離間して塗布されていることを特徴とする請求項１に記載の光源装置。
【請求項３】
前記光源用素子の一部には、切欠部が設けられるとともに、前記第２の保持体には、前記光源用素子の前記切欠部に対応する突起部が設けられ、
前記第１の保持体の前記孔部の径は、前記孔部の周囲が前記切欠部を覆う大きさとなっていることを特徴とする請求項１または請求項２に記載の光源装置。
【請求項４】
前記第１の保持体と前記第２の保持体とを固定するための固定ネジをさらに備えることを特徴とする請求項１乃至請求項３の何れかに記載の光源装置。
【請求項５】
前記第２の保持体及び前記第１の保持体は、複数の前記光源用素子の間に、複数の前記固定ネジが挿入されるネジ孔部を有し、
前記複数のネジ孔部及びその周辺部に前記接着剤が塗布されていることを特徴とする請求項４に記載の光源装置。
【請求項６】
前記第１の保持体が前記光源用素子から射出される光を集光するコリメータレンズを前記孔部に保持することを特徴とする請求項１乃至請求項５の何れかに記載の光源装置。
【請求項７】
前記第２の保持体は、前記光源用素子を保持する面の反対側の面に、該第２の保持体と当接するヒートシンクを有することを特徴とする請求項１乃至請求項６の何れかに記載の光源装置。
【請求項８】
前記接着剤は、熱硬化型接着剤であることを特徴とする請求項１乃至請求項７の何れかに記載の光源装置。
【請求項９】
第１の保持体と第２の保持体との間で光源用素子を保持する光源装置であって、
前記第２の保持体は、前記光源用素子を配置する凹部を有し、
前記第１の保持体により前記凹部に配置された前記光源用素子を前記第２の保持体に当接させるとともに前記第１の保持体と前記第２の保持体との間にギャップを形成し、当該ギャップに塗布した接着剤により前記第１の保持体と前記第２の保持体とを固着させた事を特徴とする光源装置。
【請求項１０】
請求項１乃至請求項９の何れかの光源装置
を備えることを特徴とするプロジェクタ。
【発明の詳細な説明】
【技術分野】
【０００１】
本発明は、光源装置及びプロジェクタに関する。
【背景技術】
【０００２】
今日、パーソナルコンピュータの画面やビデオ画像、さらにメモリカード等に記憶され
ている画像データによる画像等をスクリーンに投影する画像投影装置としてのデータプロ
ジェクタが多用されている。このプロジェクタは、光源から射出された光をＤＭＤ（デジ
タル・マイクロミラー・デバイス）と呼ばれるマイクロミラー表示素子、又は、液晶板に
集光させ、スクリーン上にカラー画像を表示させるものである。
【０００３】
このようなプロジェクタにおいて、従来は高輝度の放電ランプを光源とするものが主流
であったが、近年、光源として発光ダイオードやレーザーダイオード、あるいは、有機Ｅ
Ｌ、蛍光体等を用いる種々のプロジェクタの開発が多々なされている。
【０００４】
例えば、レーザーダイオードなどの半導体素子は、チップ温度を定格範囲に保ち、寿命
を保証するために適切な放熱が必要であった。レーザーダイオードの発光変換効率は３０
％程度であり。直流電力の大部分は熱としてパッケージから放出される。よって、レーザ
ーダイオードを放熱器なしで動作させることは避けなければならない。また、熱伝導性を
向上させるために、レーザーダイオードとヒートシンクとの間にシリコングリース等を塗
布すると、シリコングリース等がガラス面に付着しないように十分に注意する必要があり
、作業工数が増加して、高価となってしまう。このため、レーザーダイオード等の光源用
素子の放熱機構は重要であるとともに構造には工夫が必要である。
【０００５】
ところで、プロジェクタ内の光源装置は、光源用素子と、光源用素子からの光を集光す
るコリメータレンズとを、光軸調整した状態で光源保持体及びレンズ保持体により保持し
、レンズ保持体と光源保持体とが固定ネジにより一体に固定されたものが知られている。
【０００６】
また、レンズ保持体と光源保持体とを接着剤で相互に固定するレーザー光源装置も提案
されている（例えば、特許文献１参照）。この特許文献１に記載のレーザー光源装置は、
半導体レーザーを保持する光源保持体としてのホルダと、光学素子を保持するレンズ保持
体としてのベースとを有し、ホルダには内周凸部と外周凸部とが形成され、ホルダの内周
凸部の上面とベースの上面とを密着させて、内周凸部と外周凸部との間隙に接着剤を注入
し、その接着剤によりホルダとベースとを固着するものであり、部品点数を少なくし、製
造を容易とするものである。
【先行技術文献】
【特許文献】
【０００７】
【特許文献１】特開２００９−２４６０４０号公報
【発明の概要】
【発明が解決しようとする課題】
【０００８】
従前のネジによりレンズ保持体と光源保持体を固定した光源装置では、長期の使用によ
りレンズ保持体が僅かにズレて光源装置の性能が低下し、保守を必要とすることがあった
。また、上記特許文献１に記載のレーザ光源装置では、装置の組み立て製造を容易としつ
つ所望の性能を維持できるとしている。しかし、この特許文献１の光源装置では、レンズ
保持体と光源保持体とを調整した所定位置に固定して接着工程を行うため、製造効率を高
めることが困難であった。また、レンズ保持体に内周凸部等の加工が必要になるという問
題があった。
【０００９】
本発明は上述したような従来技術の問題点に鑑みてなされたものであり、製造効率の高い光源装置、及びプロジェクタを提供することを目的とする。
【課題を解決するための手段】
【００１０】
本発明に係る光源装置は、第１の保持体と第２の保持体との間で光源用素子を保持する光源装置であって、前記第２の保持体は、前記第１の保持体に対向する面に、該面よりも前記第１の保持体側に光源用素子の一部が突出するように、前記光源用素子が配置される凹部を有し、前記第１の保持体は、前記第２の保持体に対向する面に形成された、前記光源用素子からの光を射出させる孔部を有し、前記孔部の周囲が前記光源用素子の突出部分に当接することにより前記光源用素子を前記第２の保持体に当接させるとともに、前記第１の保持体と前記第２の保持体との間に基台の突出によりギャップが形成し、そのギャップ部に塗布された接着剤により、前記第１の保持体と前記第２の保持体とが固着されていることを特徴とする。
【発明の効果】
【００１２】
本発明によれば、製造効率の高い光源装置、及びプロジェクタを提供することができる。
【図面の簡単な説明】
【００１３】
【図１】本発明の実施形態に係るプロジェクタを示す外観斜視図である。
【図２】本発明の実施形態に係るプロジェクタの機能回路ブロックを示す図である。
【図３】本発明の実施形態に係るプロジェクタの内部構造を示す平面模式図である。
【図４】本発明の実施形態に係る光源装置の斜視図である。
【図５】本発明の実施形態に係る光源装置のコリメータレンズと光源用素子を通る断面図である。
【図６】本発明の実施形態に係る光源装置の固定ネジを通る断面図である。
【図７】本発明の実施形態に係る光源装置の光源用素子が取り付けられた光源保持体の正面図である。
【図８】図７に示した光源保持体の断面図である。
【発明を実施するための形態】
【００１４】
以下、本発明を実施するための形態について述べる。図１は、プロジェクタ10の外観斜
視図である。尚、本実施形態において、プロジェクタ10における左右とは投影方向に対し
ての左右方向を示し、前後とはプロジェクタ10のスクリーン側方向及び光線束の進行方向
に対しての前後方向を示す。
【００１５】
プロジェクタ10は、図１に示すように、略直方体形状であって、プロジェクタ筐体の前
方の側板とされる正面パネル12の側方に投影口を覆うレンズカバー19を有すると共に、こ
の正面パネル12には複数の吸気孔18や排気孔17を設けている。さらに、図示しないがリモ
ートコントローラからの制御信号を受信するＩｒ受信部を備えている。
【００１６】
また、筐体の上面パネル11にはキー／インジケータ部37が設けられ、このキー／インジ
ケータ部37には、電源スイッチキーや電源のオン又はオフを報知するパワーインジケータ
、投影のオン、オフを切りかえる投影スイッチキー、光源ユニットや表示素子又は制御回
路等が過熱したときに報知をする過熱インジケータ等のキーやインジケータが配置されて
いる。
【００１７】
さらに、筐体の背面には、背面パネルにＵＳＢ端子や画像信号入力用のＤ−ＳＵＢ端子
、Ｓ端子、ＲＣＡ端子等を設ける入出力コネクタ部及び電源アダプタプラグ等の各種端子
20が設けられている。また、背面パネルには、複数の吸気孔が形成されている。尚、図示
しない筐体の側板である右側パネル、及び、図１に示した側板である左側パネル15には、
各々複数の排気孔17が形成されている。また、左側パネル15の背面パネル近傍の隅部には
、吸気孔18も形成されている。
【００１８】
次に、プロジェクタ10のプロジェクタ制御手段について図２のブロック図を用いて述べ
る。プロジェクタ制御手段は、制御部38、入出力インターフェース22、画像変換部23、表
示エンコーダ24、表示駆動部26等から構成され、入出力コネクタ部21から入力された各種
規格の画像信号は、入出力インターフェース22、システムバス（ＳＢ）を介して画像変換
部23で表示に適した所定のフォーマットの画像信号に統一するように変換された後、表示
エンコーダ24に出力される。
【００１９】
また、表示エンコーダ24は、入力された画像信号をビデオＲＡＭ25に展開記憶させた上
でこのビデオＲＡＭ25の記憶内容からビデオ信号を生成して表示駆動部26に出力する。
【００２０】
表示駆動部26は、表示素子制御手段として機能するものであり、表示エンコーダ24から
出力された画像信号に対応して適宜フレームレートで空間的光変調素子（ＳＯＭ）である
表示素子51を駆動するものであり、光源ユニット60から射出された光線束を、導光光学系
を介して表示素子51に照射することにより、表示素子51の反射光で光学像を形成し、後述
する投影側光学系を介して図示しないスクリーンに画像を投影表示する。尚、この投影側
光学系の可動レンズ群235は、レンズモータ45によりズーム調整やフォーカス調整のため
の駆動が行われる。
【００２１】
また、画像圧縮伸長部31は、画像信号の輝度信号及び色差信号をＡＤＣＴ及びハフマン
符号化等の処理によりデータ圧縮して着脱自在な記録媒体とされるメモリカード32に順次
書き込む記録処理を行う。さらに、画像圧縮伸長部31は、再生モード時にメモリカード32
に記録された画像データを読み出し、一連の動画を構成する個々の画像データを１フレー
ム単位で伸長し、この画像データを、画像変換部23を介して表示エンコーダ24に出力し、
メモリカード32に記憶された画像データに基づいて動画等の表示を可能とする処理を行う
。
【００２２】
制御部38は、プロジェクタ10内の各回路の動作制御を司るものであって、ＣＰＵや各種
セッティング等の動作プログラムを固定的に記憶したＲＯＭ及びワークメモリとして使用
されるＲＡＭ等により構成されている。
【００２３】
筐体の上面パネル11に設けられるメインキー及びインジケータ等により構成されるキー
／インジケータ部37の操作信号は、直接に制御部38に送出され、リモートコントローラか
らのキー操作信号は、Ｉｒ受信部35で受信され、Ｉｒ処理部36で復調されたコード信号が
制御部38に出力される。
【００２４】
尚、制御部38にはシステムバス（ＳＢ）を介して音声処理部47が接続されている。この
音声処理部47は、ＰＣＭ音源等の音源回路を備えており、投影モード及び再生モード時に
は音声データをアナログ化し、スピーカ48を駆動して拡声放音させる。
【００２５】
また、制御部38は、光源制御手段としての光源制御回路41を制御しており、この光源制
御回路41は、画像生成時に要求される所定波長帯域の光が光源ユニット60から射出される
ように、光源ユニット60の励起光照射装置、赤色光源装置、及び青色光源装置の発光を個
別に制御する。
【００２６】
さらに、制御部38は、冷却ファン駆動制御回路43に光源ユニット60等に設けた複数の温
度センサによる温度検出を行わせ、この温度検出の結果から冷却ファンの回転速度を制御
させている。また、制御部38は、冷却ファン駆動制御回路43にタイマー等によりプロジェ
クタ本体の電源ＯＦＦ後も冷却ファンの回転を持続させる、あるいは、温度センサによる
温度検出の結果によってはプロジェクタ本体の電源をＯＦＦにする等の制御も行う。
【００２７】
次に、このプロジェクタ10の内部構造について述べる。図３は、プロジェクタ10の内部
構造を示す平面模式図である。プロジェクタ10は、図３に示すように、右側パネル14の近
傍に制御回路基板241を備えている。この制御回路基板241は、電源回路ブロックや光源制
御ブロック等を備えてなる。また、プロジェクタ10は、制御回路基板241の側方、つまり
、プロジェクタ筐体の略中央部分に光源ユニット60を備えている。さらに、プロジェクタ
10は、光源ユニット60と左側パネル15との間に光学系ユニット160を備えている。
【００２８】
光源ユニット60は、プロジェクタ筐体の左右方向における略中央部分であって背面パネ
ル13近傍に配置される励起光照射装置70と、この励起光照射装置70から射出される光線束
の光軸上であって正面パネル12の近傍に配置される蛍光発光装置100と、この蛍光発光装
置100から射出される光線束と平行となるように正面パネル12の近傍に配置される青色光
源装置300と、励起光照射装置70と蛍光発光装置100との間に配置される赤色光源装置120
と、蛍光発光装置100からの射出光や赤色光源装置120からの射出光、青色光源装置300か
らの射出光の光軸が夫々同一の光軸となるように変換して各色光を所定の一面であるライ
トトンネル175の入射口に導光する導光光学系140と、を備える。
【００２９】
励起光照射装置70は、背面パネル13と光軸が直交するように配置された光源用素子とし
ての励起光源71と、励起光源71からの射出光を集光する集光レンズ78と、励起光源71と背
面パネル13との間に配置されたヒートシンク81と、を備える。
【００３０】
光源装置における励起光源71は、３行８列の計２４個の青色レーザーダイオードがマト
リクス状に配列されており、各青色レーザーダイオードの光軸上には、各青色レーザーダ
イオードからの射出光を平行光に変換する集光レンズであるコリメータレンズ73が夫々配
置されている。本実施形態に係る複数のコリメータレンズ73は、光源用素子としての各励
起光源71それぞれから射出される光線を集光レンズ78に射出する。
【００３１】
ヒートシンク81の近傍には冷却ファン261が配置されており、この冷却ファン261とヒー
トシンク81とによって励起光源71が冷却される。
【００３２】
蛍光発光装置100は、正面パネル12と平行となるように、つまり、励起光照射装置70か
ら凹レンズ76を介して射出した光線束の光軸と直交するように配置された蛍光板としての
蛍光ホイール101と、この蛍光ホイール101を回転駆動するホイールモータ110と、蛍光ホ
イール101から背面パネル13方向に射出される光線束を集光する集光レンズ群111と、を備
える。集光レンズ群111は、大径の凸レンズ112と小径の凸レンズ113とを有し、それぞれ
の光軸と集光レンズ78の光軸とが一致するように直線状に配置されている。
【００３３】
蛍光ホイール101は、円板状の金属基材であって、励起光源71からの射出光を励起光と
して緑色波長帯域の蛍光発光光を射出する環状の蛍光発光領域が凹部として形成され、励
起光を受けて蛍光発光する蛍光板として機能する。また、蛍光発光領域を含む蛍光ホイー
ル101の励起光源71側の表面は、銀蒸着等によってミラー加工されることで光を反射する
反射面が形成され、この反射面上に緑色蛍光体の層が敷設されている。
【００３４】
そして、励起光源71からコリメータレンズ73、集光レンズ78、凹レンズ76、及び第一ダ
イクロイックミラー141を介して蛍光ホイール101の緑色の蛍光体層に照射された光は、緑
色の蛍光体層における緑色蛍光体を励起し、緑色蛍光体から全方位に蛍光発光された光線
束は、直接励起光源71側へ、あるいは、蛍光ホイール101の反射面で反射した後に励起光
源71側へ射出される。また、蛍光体層の蛍光体に吸収されることなく、金属基材に照射さ
れた励起光は、反射面により反射されて再び蛍光体層に入射し、蛍光体を励起することと
なる。よって、蛍光ホイール101の凹部の表面を反射面とすることにより、励起光源71か
ら射出される励起光の利用効率を上げることができ、より明るく発光させることができる
。上記凹レンズ76は、励起光源71からの励起光を略平行光に変換する。
【００３５】
尚、蛍光ホイール101の反射面で蛍光体層側に反射された励起光において蛍光体に吸収
されることなく励起光源71側に射出された励起光は、後述する第一ダイクロイックミラー
141を透過し、蛍光光は第一ダイクロイックミラー141により反射されるため、励起光が外
部に射出されることはない。そして、ホイールモータ110と正面パネル12との間には冷却
ファン261が配置されており、この冷却ファン261によって蛍光ホイール101が冷却される
。
【００３６】
赤色光源装置120は、励起光源71と光軸が直交するように配置された赤色光源121と、赤
色光源121からの射出光を集光する集光レンズ群125と、を備える。そして、この赤色光源
装置120は、励起光照射装置70からの射出光及び蛍光ホイール101から射出される緑色波長
帯域光と光軸が交差するように配置されている。また、赤色光源121は、赤色の波長帯域
光を発する半導体発光素子としての赤色発光ダイオードである。さらに、赤色光源装置12
0は、赤色光源121の右側パネル14側に配置されるヒートシンク130を備える。そして、ヒ
ートシンク130と正面パネル12との間には冷却ファン261が配置されており、この冷却ファ
ン261によって赤色光源121が冷却される。
【００３７】
青色光源装置300は、蛍光発光装置100からの射出光の光軸と平行となるように配置され
た青色光源301と、青色光源301からの射出光を集光する集光レンズ群305と、を備える。
そして、この青色光源装置300は、赤色光源装置120からの射出光と光軸が交差するように
配置されている。また、青色光源301は、青色の波長帯域光を発する半導体発光素子とし
ての青色発光ダイオードである。さらに、青色光源装置300は、青色光源301の正面パネル
12側に配置されるヒートシンク310を備える。そして、ヒートシンク310と正面パネル12と
の間には冷却ファン261が配置されており、この冷却ファン261によって青色光源301が冷
却される。
【００３８】
そして、導光光学系140は、赤色、緑色、青色波長帯域の光線束を集光させる集光レン
ズや、各色波長帯域の光線束の光軸を変換して同一の光軸とさせるダイクロイックミラー
等からなる。具体的には、励起光照射装置70から射出される青色波長帯域光及び蛍光ホイ
ール101から射出される緑色波長帯域光の光軸と、赤色光源装置120から射出される赤色波
長帯域光の光軸と、が交差する位置に、青色及び赤色波長帯域光を透過し、緑色波長帯域
光を反射してこの緑色光の光軸を左側パネル15方向に９０度変換する第一ダイクロイック
ミラー141が配置されている。
【００３９】
また、青色光源装置300から射出される青色波長帯域光の光軸と、赤色光源装置120から
射出される赤色波長帯域光の光軸と、が交差する位置に、青色波長帯域光を透過し、緑色
及び赤色波長帯域光を反射してこの緑色及び赤色光の光軸を背面パネル13方向に９０度変
換する第二ダイクロイックミラー148が配置されている。そして、第一ダイクロイックミ
ラー141と第二ダイクロイックミラー148との間には、集光レンズ77が配置されている。さ
らに、ライトトンネル175の近傍には、ライトトンネル175の入射口に光源光を集光する集
光レンズ173が配置されている。
【００４０】
光学系ユニット160は、励起光照射装置70の左側方に位置する照明側ブロック161と、背
面パネル13と左側パネル15とが交差する位置の近傍に位置する画像生成ブロック165と、
導光光学系140と左側パネル15との間に位置する投影側ブロック168と、の３つのブロック
によって略コの字状に構成されている。
【００４１】
この照明側ブロック161は、光源ユニット60から射出された光源光を画像生成ブロック1
65が備える表示素子51に導光する光源側光学系170の一部を備えている。この照明側ブロ
ック161が有する光源側光学系170としては、光源ユニット60から射出された光線束を均一
な強度分布の光束とするライトトンネル175、ライトトンネル175から射出された光を集光
する集光レンズ178、ライトトンネル175から射出された光線束の光軸を画像生成ブロック
165方向に変換する光軸変換ミラー181等がある。
【００４２】
画像生成ブロック165は、光源側光学系170として、光軸変換ミラー181で反射した光源
光を表示素子51に集光させる集光レンズ183と、この集光レンズ183を透過した光線束を表
示素子51に所定の角度で照射する照射ミラー185と、を有している。さらに、画像生成ブ
ロック165は、表示素子51とするＤＭＤを備え、この表示素子51と背面パネル13との間に
は表示素子51を冷却するためのヒートシンク190が配置されて、このヒートシンク190によ
って表示素子51が冷却される。また、表示素子51の正面近傍には、投影側光学系220とし
ての集光レンズ195が配置されている。
【００４３】
投影側ブロック168は、表示素子51で反射されたオン光をスクリーンに放出する投影側
光学系220のレンズ群を有している。この投影側光学系220としては、固定鏡筒に内蔵する
固定レンズ群225と可動鏡筒に内蔵する可動レンズ群235とを備えてズーム機能を備えた可
変焦点型レンズとされ、レンズモータにより可動レンズ群235を移動させることによりズ
ーム調整やフォーカス調整を可能としている。
【００４４】
次に、プロジェクタ10の光源装置である励起光照射装置70を説明する。図４は本発明の
実施形態に係る励起光照射装置70の斜視図である。図５は光源装置のコリメータレンズと
光源用素子を通る断面図である。図６は光源装置の固定ネジを通る断面図である。
【００４５】
励起光照射装置70は、図４に示すように、第１の保持体としての略直方体のレンズ保持
体79と、第２の保持体としての光源保持体80とを有し、レンズ保持体79と光源保持体80と
の間で励起光源71としての光源用素子であるレーザーダイオードが保持される構造を有す
る。光源保持体80は、板状本体部80aと突出部80bとを有し、断面形状がＬ字形状に形成さ
れている。光源保持体80とレンズ保持体79とは、固定部材である複数の固定ネジ87により
固定されている。
【００４６】
詳細には、レンズ保持体79の前方側には、押え板89が配置されており、コリメータレン
ズ73に対応する複数の大径の孔89aが配置され、ネジ82によりレンズ保持体79に固定され
るように構成されている。この複数の大径の孔89aの間には、固定ネジ87が挿入される複
数の小径の孔89bが形成されている。
【００４７】
固定ネジ87は、押え板89の小径の孔89bに挿入され、後述するレンズ保持体79の凹穴部7
9d、孔部79c及び光源保持体80のネジ孔である孔部80gに螺合することで、レンズ保持体79
と光源保持体80が固定される。
【００４８】
光源保持体80は、励起光源71を保持する面の反対側の面（下面）に、光源保持体80と当
接するヒートシンク81がネジ（不図示）により取り付けられている。つまり、光源保持体
80の後方にはヒートシンク81が設けられている。励起光照射装置70の底面側には、励起光
源71に電気的に接続されるフレキシブル基板（不図示）が設けられている。
【００４９】
以下、励起光照射装置70の各構成要素について、図５、図６を参照しながら説明する。
コリメータレンズ73は、励起光源71である青色レーザーダイオードからの射出光を集光さ
せる集光レンズである。レンズ取付枠74は、予めコリメータレンズ73と一体とされるもの
であり、コリメータレンズ73の周縁に接着剤等で固着される取付枠である。コリメータレ
ンズ73の光軸調整としての位置調整は、コリメータレンズ73の周縁を接着剤等で固着され
て一体とされるレンズ取付枠74の周縁を押圧して移動させて行うことにより、レンズ自体
を傷つけることを防止できる。
【００５０】
励起光源71は、発光部が載置されている円板形状の基台71aと、発光部を収容し且つこ
の発光部による光を前方に射出するための開口部が形成された円筒形状のカバー部71bと
を有し、基台71aには発光部に電気的に接続されたリード端子部71cが設けられている。
【００５１】
基台71aは、アルミニウム等の良好な熱伝導性の金属材料で形成されており、発光部に
よる熱を放熱する働きを有する。また、基台71aは、カバー部71bよりも大きな直径に形成
されており、光源保持体80側の端面には後方側平坦面71dが形成され、光源保持体80の取
付凹部80cの平坦面80dに密着するように、光源保持体80に配置される。基台71aの外周部7
1eの前方側に平坦面71fが形成されており、この前方側の平坦面71fがレンズ保持体79によ
り光源保持体80側に押圧されるように構成されている。
また、本実施形態では、励起光源71には、光源保持体80の取付凹部80cに嵌め込む際に
フレキシブル基板に対してリード端子部71cの向きが揃うように、基台71aの周囲の３箇所
に位置決め用の切欠部が設けられている（後述の図７参照）。
【００５２】
光源保持体80は、アルミニウムや銅等の金属材料や合金材料からなる放熱部材であり、
断面形状が略Ｌ字形状に形成されている。詳細には、光源保持体80は、板状本体部80aと
、この板状本体部80aの下端から前方に突出すると共に、中央部が両端よりも突出した略
５角形状に形成され平坦な底面部80fを備えた突出部80bとを有し、板状本体部80aと突出
部80bとが同一材料により一体に形成されている。板状本体部80aは、レンズ保持体79とヒ
ートシンク81との間に配置されている。光源保持体80の板状本体部80aとレンズ保持体79
とは、励起光源71を間に保持した状態で固定ネジ87にて固定される。
【００５３】
板状本体部80aの前面には、図５に示したように、レンズ保持体79に対向する前方側平
坦面80eが形成されており、この平坦面80eに複数の取付凹部80cが形成され、各取付凹部8
0cには励起光源71が取り付けられる。この取付凹部80cは、レンズ保持体79の孔部79aに対
応する位置に形成されている。
【００５４】
また、取付凹部80cの深さは、励起光源71の基台71aの厚みよりも僅かに小さく形成され
ており、この取付凹部80cに励起光源71が取り付けられた場合に、基台71aの外周部71eの
前方側の平坦面71fが、レンズ保持体79に対向する平坦面80eの前面よりも、僅かに突出す
るように取付凹部80cが形成されている。より詳細には、励起光源71の基台71aの厚みの製
造誤差が最小または最大の場合でも、基台71aの外周部71eの前方側の平坦面71fが、光源
保持体80の平坦面80eよりも、僅かに突出するように取付凹部80cが形成されている。本実
施形態では、例えば、基台71aの外周部71eの前方側の平坦面71fが、光源保持体80の平坦
面80eよりも、約０．１ｍｍ程度突出するように構成されている。
【００５５】
取付凹部80cに配置された励起光源71のリード端子部71cには、端子部（不図示）が取り
付けられ、その端子部を介してフレキシブル基板に電気的に接続されており、フレキシブ
ル基板は光源制御回路41や制御部38等に電気的に接続されている。
なお、本実施形態では、光源保持体80の取付凹部80cには、光源保持体80の切欠部に対
応する突起部が設けられていて、この突起部に光源保持体80の切欠部と対応させるように
嵌め込むことにより、フレキシブル基板に対してリード端子部71cの向きを揃えて実装す
ることができる（後述の図７参照）。
【００５６】
また、板状本体部80aは、図６に示したように、レンズ保持体79の各孔部79cに連通する
ように、複数の孔部80gが形成されており、この複数の孔部80gの内側には雌ネジが形成さ
れ、固定ネジ87が嵌合するように構成されている。この固定ネジ87が挿入される孔部80g
は、光源保持体80に形成された複数の取付凹部80cの間に形成されており、すなわち、取
付凹部80cの近傍に形成されている。
【００５７】
レンズ保持体79は、耐熱樹脂性の保持部材であり、図５に示したように、光源保持体80
に対向する後方側の端面には平坦面79gが形成されている。また、レンズ保持体79は、励
起光源71からコリメータレンズ73へ放射される光の光路として複数の孔部79aが形成され
ており、孔部79aの前方側には孔部79aより小径のレンズ取付穴79bが形成され、レンズ取
付穴79bにレンズ取付枠74とコリメータレンズ73が配置されて、コリメータレンズ73を保
持する。レンズ保持体79の孔部79aそれぞれの後方側には、励起光源71が配置される。レ
ンズ保持体79の光源保持体80側の平坦面79gのうち孔部79cの周辺部が押圧部79hとなり、
押圧部79hは、励起光源71の基台71aの外周部71eの前方側の平坦面71fに当接すると共に、
平坦面71fを光源保持体80側に押圧する。
【００５８】
そして、レンズ保持体79は、図６に示したように、固定ネジ87用の複数の孔部79cが形
成されており、この孔部79cの内側には雌ネジが形成されている。この孔部79cの雌ネジに
は、固定ネジ87の本体部87aに形成された雄ネジが係合するように構成されている。孔部7
9cの前方側には、孔部79cより直径が大きく、且つ、固定ネジ87の頭部87bを配置する凹穴
部79dが形成され、段部79eに固定ネジ87の頭部87bが係合するように構成されている。
【００５９】
固定ネジ87は、本体部87aと頭部87bとを有する。本体部87aに形成された雄ネジが、レ
ンズ保持体79のネジ孔部である孔部79cと光源保持体80のネジ孔部である孔部80gに挿入さ
れて係合することで、レンズ保持体79と光源保持体80とが締結されて一体となる。固定ネ
ジ87の頭部87bは、レンズ保持体79の孔部79cと光源保持体80の孔部80gの直径よりも大き
く、レンズ保持体79の凹穴部79dの直径よりも僅かに小さく形成され、レンズ保持体79の
段部79eに係合する。このため、固定ネジ87により、レンズ保持体79と光源保持体80とが
一体に固定される。
【００６０】
そして、固定ネジ87によりレンズ保持体79と光源保持体80とを確実に一体とした後、押
え板89用のネジ82が緩んだ状態で、コリメータレンズ73と励起光源71の光軸調整を行い、
ネジ82を締め付けることにより、高精度に光軸調整が可能である。
【００６１】
又、本実施形態では、固定ネジ87によりレンズ保持体79と光源保持体80とを一体とする
際に、光源保持体80の孔部80gの位置に接着剤91を塗布しておく。この接着剤91は、図６
に示したように、レンズ保持体79と光源保持体80との間のギャップ（Ｇ）に塗布され、レ
ンズ保持体79と光源保持体80とを強固に固着する。接着剤91としては、例えば、熱硬化性
接着剤、嫌気性接着剤やＵＶ硬化性接着剤などを採用することができる。
【００６２】
詳細には、光源保持体80の平坦面80eの位置に接着剤91を塗布して、レンズ保持体79を
光源保持体80に重ねる際に、接着剤91は、レンズ保持体79と光源保持体80との間のギャッ
プ（Ｇ）において、固定ネジ87が挿入される光源保持体80とレンズ保持体79の孔部80g、7
9cの周辺部に塗布されることとなる。さらに、接着剤91は、固定ネジ87を孔部80g、79cに
ねじ込むことにより、固定ネジ87と孔部80gの間、固定ネジ87と孔部79cの間、固定ネジ87
の先端部に塗布された状態となる。このため、接着剤91は、光源保持体80とレンズ保持体
79とを強固に固着すると共に、固定ネジ87と光源保持体80及びレンズ保持体79とを強固に
固着する。
【００６３】
この接着剤91の塗布方法を詳細に説明する。図７は光源用素子が取り付けられた光源保
持体80の正面図である。図８は図７に示した光源保持体80の断面図である。また、レンズ
保持体79と光源保持体80の組立方法についても図５〜図８を参照しながら説明する。
【００６４】
先ず、光源保持体80の取付凹部80cに励起光源71を取り付ける。詳細には、励起光源71
の基台71aの後方側平坦面71dが、光源保持体80の取付凹部80cの平坦面80dに密着するよう
に取り付けられる。この際、励起光源71の基台71aの外周部71eの前方側の平坦面71fが、
光源保持体80の平坦面80eよりも、僅かに突出するように取付凹部80cに取り付けられる。
【００６５】
次に、光源保持体80の複数の固定ネジ87が挿入される孔部80g及びその周辺部に、接着
剤91を塗布する。そして、レンズ保持体79を光源保持体80に取り付ける。詳細には、レン
ズ保持体79の孔部79aの周辺部である押圧部79hにより、励起光源71の基台71aの外周部71e
の平坦面71fを、光源保持体80側に押圧する。この際、レンズ保持体79と光源保持体80と
の間に、励起光源71の基台71aの外周部71eの前方側の平坦面71fが、図５、図６に示すよ
うに、光源保持体80の平坦面80eから突出した分により僅かなギャップ（Ｇ）が形成され
る。本実施形態では、このギャップ（Ｇ）は、約０．１ｍｍ程度である。
【００６６】
また、固定ネジ87を、レンズ保持体79の孔部79cと光源保持体80の孔部80gとに挿入して
、凹穴部79dの段部79eに固定ネジ87の頭部87bを係合させることにより、レンズ保持体79
と光源保持体80とを一体に固定する。
【００６７】
このとき、接着剤91は、固定ネジ87により孔部80gに押し込まれると共に、レンズ保持
体79と光源保持体80との間のギャップ（Ｇ）において孔部80g及び孔部79cの周辺部に広が
る。さらに、接着剤91は、固定ネジ87と孔部80gの間、固定ネジ87と孔部79cの間にも浸透
した状態となる。このように、接着剤91は、固定ネジ87の先端部に押され、光源保持体80
の孔部80gと固定ネジ87の間、光源保持体80とレンズ保持体79とのギャップにおける固定
ネジ87の近辺、レンズ保持体79の孔部79cと固定ネジ87の間の近辺部などに接着剤91が塗
布された状態となる。
この際に、図７に示すように、接着剤91の塗布部は、励起光源71から離間されているこ
とが望ましい。そのようにすれば、たとえ、接着剤が未硬化であった場合にアウトガスが
発生したとしても、そのアウトガスによる励起光源71等への光学特性への影響をより確実
に防ぐことができる。
なお、本実施形態では、レンズ保持体79の押圧部79hとなる孔部79aの周辺部の径は、孔
部79aの周囲の平坦面79gが光源保持体80の切欠部を覆うような大きさとなっている。
【００６８】
このため、接着剤91によりレンズ保持体79と光源保持体80とが強固に固着する。また、
接着剤91により固定ネジ87と光源保持体80、並びに、固定ネジ87とレンズ保持体79が強固
に固着する。
【００６９】
また、接着剤91として、熱硬化型接着剤を採用した場合には、励起光照射装置70を所定
の温度に加熱することで、レンズ保持体79と光源保持体80とが強固に固着される。
【００７０】
以上、説明したように、本発明の実施形態によれば、光源装置としての励起光照射装置
70は、光源用素子である励起光源71を保持する第２の保持体としての光源保持体80とコリ
メータレンズ73を保持する第１の保持体としてのレンズ保持体79との間に励起光源71が配
置され、レンズ保持体79の孔部79cの周辺部である押圧部79hにより、取付凹部80cに配置
された励起光源71の基台71aの外周部71eの平坦面71fを押圧して、レンズ保持体79と光源
保持体80との間にギャップ（Ｇ）が形成され、そのギャップ部に塗布された接着剤91によ
り、レンズ保持体79と光源保持体80とを強固に固着するので、励起光源71の基台71aが取
付凹部80cを加圧して、励起光源71と光源保持体80との間の熱伝導性を高めると共に、振
動等による光源保持体80とレンズ保持体79とのずれを長期に亘って防止することができ製
造効率の高い光源装置としての励起光照射装置70、及びこの光源装置を備えたプロジェク
タ10を提供することができる。
また、レンズ保持体79の平坦面79gに突起等を設ける必要はなく。単純な構成で、上記
性能を備えた励起光照射装置70、及びこの光源装置を備えたプロジェクタ10を提供するこ
とができる。
【００７１】
また、本実施形態に係る励起光照射装置70では、レンズ保持体79の孔部79cの周辺部で
ある押圧部79hと励起光源71の基台71aの外周部71eとが密着して、レンズ保持体79の孔部7
9a内がギャップ（Ｇ）に対して遮蔽された構造であるので、装置製造時、孔部80g及びそ
の周辺部に塗布された接着剤91が、レンズ保持体79の孔部79aの内部に広がることがなく
、光の通路である孔部79a内部や励起光源71の光射出面への接着剤91の付着を防止するこ
とができると共に、励起光照射装置70の光学特性の低下を防止することができる。
また、本実施形態のように、励起光源71の基台71aの周囲に位置決め用の切欠部が設け
られていたとしても、レンズ保持体79の押圧部79hとなる孔部79aの周辺部の径は、孔部79
aの周囲の平坦面79gが光源保持体80の切欠部を覆うような大きさとなっているので、レン
ズ保持体79の孔部79a内がギャップ（Ｇ）に対して確実に遮蔽された構造とすることがで
きる。
また、接着剤91の塗布部は、励起光源71から離間されているので、たとえ、接着剤が未
硬化であった場合にアウトガス発生したとしても、そのアウトガスの励起光源71等への光
学特性への影響をより確実に防ぐことができる。
【００７２】
また、本発明の実施形態によれば、固定ネジ87により光源保持体80とレンズ保持体79と
を一体として固定させているので、光源保持体80とレンズ保持体79とを強固に固定された
励起光照射装置70とすることができ、この長期に亘って安定した性能を維持できる光源装
置を備えたプロジェクタ10を提供することができる。
【００７３】
また、本発明の実施形態によれば、光源保持体80及びレンズ保持体79は、マトリクス状
に配置された複数の光源用素子としての励起光源71の間に、複数の固定ネジ87が挿入され
る孔部80g、79cを有し、その複数の孔部80g、79c及びその周辺部に接着剤91が塗布されて
いる。このため、マトリクス状に配置された複数の励起光源71からの熱を放熱する高い熱
伝導性を有すると共に、光源保持体80とレンズ保持体79とのずれを防止することができ製
造効率の高い光源装置としての励起光照射装置70、及び発光効率の高い光源装置を備えた
プロジェクタ10を提供することができる。
【００７４】
また、本発明の実施形態によれば、レンズ保持体79が励起光源71から射出される光を集
光するコリメータレンズ73を保持する構成となっているので、励起光源71とコリメータレ
ンズ73との組み付け、光軸調整等が容易となる。
【００７５】
また、本発明の実施形態によれば、光源保持体80は、光源用素子である励起光源71を保
持する面に対向した面に、光源保持体80と当接するヒートシンク81を有する。このため、
励起光源71からの熱をヒートシンク81に放熱させることで、さらに高い放熱性を有する光
源装置である励起光照射装置70及びこの光源装置を備えたプロジェクタ10を提供すること
ができる。
【００７６】
また、接着剤91として、熱硬化型接着剤を採用した場合には、励起光照射装置70を所定
の温度に加熱することで、簡単に接着剤91を硬化させ、レンズ保持体79と光源保持体80と
を強固に固着することができる。
【００７７】
また、本発明の実施形態によれば、プロジェクタ10は、光源装置である放熱性の高い励
起光照射装置70と、励起光照射装置70の発する光で光学像を形成する表示素子51と、表示
素子51により形成される光学像をスクリーンに投影する投影側光学系220等を備える。こ
のため、光源保持体80とレンズ保持体79との間に配置された光源用素子である励起光源71
からの熱を放熱する高い熱伝導性を有すると共に、振動等による光源保持体80とレンズ保
持体79とのずれを防止することができ発光性能の良好な光源装置を備えたプロジェクタ10
を提供することができる。
【００７８】
本発明は、上記実施形態及び変形例に限定されるものではなく、発明の要旨を逸脱しな
い範囲で自由に変更、改良が可能である。例えば、本実施形態では、レンズ保持体79と光
源保持体80とのギャップ（Ｇ）は、約０．１ｍｍであったが、それ以下でも構わない。
【００７９】
また、上記実施形態では、固定ネジ87をレンズ保持体79の孔部79c及び光源保持体80の
ネジ孔80gに挿入して螺合させることにより、光源保持体80とレンズ保持体79とを一体化
させる例で説明したが、固定ネジ87を用いずに、レンズ保持体79と光源保持体80を治具で
圧着させて、接着剤のみにより、一体化させるようにしてもよい。
【００８０】
以下に、本願出願の最初の特許請求の範囲に記載された発明を付記する。
［１］  第１の保持体と第２の保持体との間で光源用素子を保持する光源装置であって、
前記第２の保持体は、前記第１の保持体に対向する前方側の面に、該前方側の面よりも
前記光源用素子の基台の前方側の外周部の面が突出するように、該光源用素子が取り付け
られる取付凹部を有し、
前記第１の保持体は、前記第２の保持体に対向する後方側の面に形成された、前記光源
用素子からの光を射出させる孔部を有し、
前記孔部の周囲により、前記取付凹部に配置された前記光源用素子の前記基台の前記前
方側の前記外周部の面を押圧して、前記第１の保持体と前記第２の保持体との間に前記基
台の突出によりギャップが形成され、そのギャップ部に塗布された接着剤により、前記第
１の保持体と前記第２の保持体とが固着されていることを特徴とする光源装置。
［２］  前記接着剤は、前記光源用素子から離間して塗布されていることを特徴とする請
求項１に記載の光源装置。
［３］  前記光源用素子には、前記基台部に切欠部が設けられるとともに、前記第２の保
持体には、前記光源用素子の前記切欠部に対応する突起部が設けられ、
前記第１の保持体の前記孔部の径は、前記孔部の周囲が前記切欠部を覆う大きさとなっ
ていることを特徴とする請求項１または請求項２に記載の光源装置。
［４］  前記第１の保持体と前記第２の保持体とを固定するための固定ネジをさらに備え
ることを特徴とする請求項１乃至請求項３の何れかに記載の光源装置。
［５］  前記第２の保持体及び前記第１の保持体は、複数の前記光源用素子の間に、複数
の前記固定ネジが挿入されるネジ孔部を有し、
前記複数のネジ孔部及びその周辺部に前記接着剤が塗布されていることを特徴とする請
求項４に記載の光源装置。
［６］  前記第１の保持体が前記光源用素子から射出される光を集光するコリメータレン
ズを前記孔部に保持することを特徴とする請求項１乃至請求項５の何れかに記載の光源装
置。
［７］  前記第２の保持体は、前記光源用素子を保持する面の反対側の面に、該第２の保
持体と当接するヒートシンクを有することを特徴とする請求項１乃至請求項６の何れかに
記載の光源装置。
［８］  前記接着剤は、熱硬化型接着剤であることを特徴とする請求項１乃至請求項７の
何れかに記載の光源装置。
［９］  光源装置と、前記光源装置の発する光で光学像を形成する表示素子と、前記表示
素子により形成される光学像をスクリーンに投影する投影側光学系と、前記光源装置及び
前記表示素子を制御するプロジェクタ制御手段と、を備え、
前記光源装置が請求項１乃至請求項８の何れかの光源装置であることを特徴とするプロ
ジェクタ。
【符号の説明】
【００８１】
10  プロジェクタ
11  上面パネル                              12  正面パネル
13  背面パネル                              14  右側パネル
15  左側パネル                              17  排気孔
18  吸気孔                                  19  レンズカバー
20  各種端子                                21  入出力コネクタ部
22  入出力インターフェース                  23  画像変換部
24  表示エンコーダ                          25  ビデオＲＡＭ
26  表示駆動部                              31  画像圧縮伸長部
32  メモリカード                            35  Ｉｒ受信部
36  Ｉｒ処理部                              37  キー／インジケータ部
38  制御部                                  41  光源制御回路
43  冷却ファン駆動制御回路                  45  レンズモータ
47  音声処理部                              48  スピーカ
51  表示素子                                60  光源ユニット
70  励起光照射装置（光源装置）              71  励起光源（光源用素子）
71a 基台                                    71b カバー部
71c リード端子部                            71d 後方側平坦面
71e 外周部                                  71f 平坦面（前方側の面）
73  コリメータレンズ                        74  レンズ取付枠
76  凹レンズ                                77  集光レンズ
78  集光レンズ                              79  レンズ保持体（第１の保持体）
79a 孔部                                    79b レンズ取付穴（取付穴）
79c 孔部（固定ネジ用ネジ孔部）              79d 凹穴部
79e 段部                                    79g 平坦部
79h 押圧部
80  光源保持体（第２の保持体）              80a 板状本体部
80b 突出部                                  80c 取付凹部
80d 平坦面（前方側の面）                    80e 平坦面（前方側の面）
80f 底面部                                  80g 孔部（固定ネジ用ネジ孔部）
81  ヒートシンク                            82  ネジ
87  固定ネジ                                87a 本体部
87b 頭部                                    89  押え板
89a 孔                                      89b 孔
91  接着剤
100  蛍光発光装置                          101  蛍光ホイール
110  ホイールモータ                        111  集光レンズ群
112  凸レンズ                              113  凸レンズ
120  赤色光源装置                          121  赤色光源
125  集光レンズ群                          130  ヒートシンク
140  導光光学系                            141  第一ダイクロイックミラー
148  第二ダイクロイックミラー              160  光学系ユニット
161  照明側ブロック                        165  画像生成ブロック
168  投影側ブロック                        170  光源側光学系
173  集光レンズ                            175  ライトトンネル
178  集光レンズ                            181  光軸変換ミラー
183  集光レンズ                            185  照射ミラー
190  ヒートシンク                          195  集光レンズ
220  投影側光学系                          225  固定レンズ群
235  可動レンズ群                          241  制御回路基板
261  冷却ファン                            300  青色光源装置
301  青色光源                              305  集光レンズ群
310  ヒートシンク
【図１】
0005994885.tif 000002
【図２】
0005994885.tif 000003
【図３】
0005994885.tif 000004
【図４】
0005994885.tif 000005
【図５】
0005994885.tif 000006
【図６】
0005994885.tif 000007
【図７】
0005994885.tif 000008
【図８】
0005994885.tif 000009